(57)【要約】【課題】シュリンクに支障を来すことなく高級感を付与できる台紙付きシュリンクフィルム包装体を提供する。【解決手段】被包装物が包装されるシュリンクフィルムが前面に取り付けられている台紙本体と、台紙本体の下側に延設された折り曲げ部を折り曲げて水平方向に延びる角筒状に形成され、シュリンクフィルムの下端部が挿入される開口部３１ａを有する上面板３１、シュリンクフィルムの下端部の前面を覆う前面板、底面板３３および背面板３４を少なくとも有する台座部３０と、折り曲げ部の一部が折り曲げられ、水平方向の一端側および他端側において台座部の内部空間３５の一部を閉塞するとともに、内部空間への気体の流通を可能とし所定の開口面積に規定された流通孔５０を形成する側壁部４８と、を備える。【選択図】図７
2018070257.tif 000002
【特許請求の範囲】
【請求項１】
被包装物が包装されるシュリンクフィルムが前面に取り付けられている台紙本体と、
前記台紙本体の下側に延設された折り曲げ部を折り曲げて水平方向に延びる角筒状に形成され、前記シュリンクフィルムの下端部が挿入される開口部を有する上面板、前記シュリンクフィルムの下端部の前面を覆う前面板、底面板および背面板を少なくとも有する台座部と、
前記折り曲げ部の一部が折り曲げられ、前記水平方向の一端側および他端側において前記台座部の内部空間の一部を閉塞するとともに、前記内部空間への気体の流通を可能とし所定の開口面積に規定された流通孔を形成する側壁部と、
を備えることを特徴とする台紙付きシュリンクフィルム包装体。
【請求項２】
前記側壁部は、折り曲げられたときに前記内部空間に臨む少なくとも二面に係合することを特徴とする
請求項１記載の台紙付きシュリンクフィルム包装体。
【請求項３】
前記台座部は、前記折り曲げ部において、前記台紙本体の一端側に第１折り曲げ線を介して延設され前記開口部が形成された前記上面板と、前記上面板の一端側に第２折り曲げ線を介して延設された前記前面板と、前記前面板の一端側に第３折り曲げ線を介して延設された前記底面板と、前記底面板の一端側に第４折り曲げ線を介して延設された前記背面板と、を含み、
前記側壁部は、前記底面板の側縁から所定距離離れた位置に各々形成された立設折り曲げ線と、前記第３折り曲げ線及び前記第４折り曲げ線を前記側縁から前記所定距離で切り離した切り離し線とで区画された部分を前記立設折り曲げ線で上方に折り曲げたときに、前記前面板と前記背面板とに係合し、
前記所定距離は、前記前面板の高さよりも短く、
前記流通孔は、前記側壁部の上端と前記上面板との間に前記所定の開口面積に規定されて形成されていることを特徴とする
請求項２記載の台紙付きシュリンクフィルム包装体。
【請求項４】
前記台座部は、前記折り曲げ部において、前記台紙本体の一端側に第１折り曲げ線を介して延設され前記開口部が形成された上面板と、前記上面板の一端側に第２折り曲げ線を介して延設された前面板と、前記前面板の一端側に第３折り曲げ線を介して延設された底面板と、前記底面板の一端側に第４折り曲げ線を介して延設された背面板と、を含み、
前記側壁部は、前記底面板の側縁から所定距離離れた位置に各々形成された立設折り曲げ線と、前記第３折り曲げ線及び前記第４折り曲げ線を前記側縁から前記所定距離で切り離した切り離し線とで区画された部分を前記立設折り曲げ線で上方に折り曲げたときに、前記前面板と前記背面板とに係合し、
前記所定距離は、前記前面板の高さと略同一であり、
前記流通孔は、前記所定の開口面積に規定された、前記側壁部を貫通する貫通孔または切欠きであることを特徴とする
請求項２記載の台紙付きシュリンクフィルム包装体。
【請求項５】
前記側壁部は、前記第４折り曲げ線よりも前記背面板側に突出する係止片を有し、
前記背面板は、前記係止片が係止する係止口を有することを特徴とする
請求項３または請求項４に記載の台紙付きシュリンクフィルム包装体。
【請求項６】
シュリンクされた前記シュリンクフィルムに前記被包装物が包装されて前記開口部に挿入され、前記台紙本体に保持されていることを特徴とする
請求項１から５のいずれか一項に記載の台紙付きシュリンクフィルム包装体。
【発明の詳細な説明】
【技術分野】
【０００１】
本発明は、台紙付きシュリンクフィルム包装体に関するものである。
【背景技術】
【０００２】
例えば、化粧品類や文房具類等の小物の商品を陳列するための包装体として、紙製やプラスチック製の薄板状のシート材料からなる台紙に、接着剤やシュリンクフィルム等を介して商品を取り付けたものが知られている。この台紙付きのシュリンクフィルムを用いる包装形態は低コストかつ表示面積を拡大出来るという利点があり、中でも最近では、高級感を付与するため下端部分に台座部を備える台座付き台紙が知られている。
【０００３】
例えば、特許文献１には、１枚の台紙を折り込む事で台紙下端に断面が三角形状の台座を形成する事で、平坦な１枚台紙構造の台紙の場合に比して奥行きが生まれ高級感を演出した包装体が開示されている。特許文献１に記載された包装体は、台座部から包装物が露出する量が多いため高級感が十分とは言えない。そこで、特許文献２には、台座形状を断面形状がロ字状の四角柱形状にする事で、さらに高級感が付与され、且つ、前面側の表示面積が拡大された包装体が開示されている。
【先行技術文献】
【特許文献】
【０００４】
【特許文献１】特開２０１３−２５２８７２号公報
【特許文献２】特開２０１５−０８９８１８号公報
【発明の概要】
【発明が解決しようとする課題】
【０００５】
しかしながら、特許文献２に記載された包装体は、台座部の内部空間が側壁を形成する立設フラップ片によって閉塞されているため、台座部の上面に形成された開口部を介して内部空間に挿入した部分の被包装物およびシュリンクフィルムに対して熱風を吹き付けることが困難であり、十分にシュリンクできないという問題が生じる。
【０００６】
本発明は、以上のような点を考慮してなされたもので、シュリンクに支障を来すことなく高級感を付与できる台紙付きシュリンクフィルム包装体を提供することを目的とする。
【課題を解決するための手段】
【０００７】
本発明の第１の態様に従えば、被包装物が包装されるシュリンクフィルムが前面に取り付けられている台紙本体と、前記台紙本体の下側に延設された折り曲げ部を折り曲げて水平方向に延びる角筒状に形成され、前記シュリンクフィルムの下端部が挿入される開口部を有する上面板、前記シュリンクフィルムの下端部の前面を覆う前面板、底面板および背面板を少なくとも有する台座部と、前記折り曲げ部の一部が折り曲げられ、前記水平方向の一端側および他端側において前記台座部の内部空間の一部を閉塞するとともに、前記内部空間への気体の流通を可能とし所定の開口面積に規定された流通孔を形成する側壁部とを備えることを特徴とする台紙付きシュリンクフィルム包装体が提供される。
【０００８】
また、上記本発明の一態様に係る台紙付きシュリンクフィルム包装体において、前記側壁部は、折り曲げられたときに前記内部空間に臨む少なくとも二面に係合することを特徴とする。
【０００９】
また、上記本発明の一態様に係る台紙付きシュリンクフィルム包装体において、前記台座部は、前記折り曲げ部において、前記台紙本体の一端側に第１折り曲げ線を介して延設され前記開口部が形成された前記上面板と、前記上面板の一端側に第２折り曲げ線を介して延設された前記前面板と、前記前面板の一端側に第３折り曲げ線を介して延設された前記底面板と、前記底面板の一端側に第４折り曲げ線を介して延設された前記背面板と、を含み、前記側壁部は、前記底面板の側縁から所定距離離れた位置に各々形成された立設折り曲げ線と、前記第３折り曲げ線及び前記第４折り曲げ線を前記側縁から前記所定距離で切り離した切り離し線とで区画された部分を前記立設折り曲げ線で上方に折り曲げたときに、前記前面板と前記背面板とに係合し、前記所定距離は、前記前面板の高さよりも短く、前記流通孔は、前記側壁部の上端と前記上面板との間に前記所定の開口面積に規定されて形成されていることを特徴とする。
【００１０】
また、上記本発明の一態様に係る台紙付きシュリンクフィルム包装体において、前記台座部は、前記折り曲げ部において、前記台紙本体の一端側に第１折り曲げ線を介して延設され前記開口部が形成された上面板と、前記上面板の一端側に第２折り曲げ線を介して延設された前面板と、前記前面板の一端側に第３折り曲げ線を介して延設された底面板と、前記底面板の一端側に第４折り曲げ線を介して延設された背面板と、を含み、前記側壁部は、前記底面板の側縁から所定距離離れた位置に各々形成された立設折り曲げ線と、前記第３折り曲げ線及び前記第４折り曲げ線を前記側縁から前記所定距離で切り離した切り離し線とで区画された部分を前記立設折り曲げ線で上方に折り曲げたときに、前記前面板と前記背面板とに係合し、前記所定距離は、前記前面板の高さと略同一であり、前記流通孔は、前記所定の開口面積に規定された、前記側壁部を貫通する貫通孔または切欠きであることを特徴とする。
【００１１】
また、上記本発明の一態様に係る台紙付きシュリンクフィルム包装体において、前記側壁部は、前記第４折り曲げ線よりも前記背面板側に突出する係止片を有し、前記背面板は、前記係止片が係止する係止口を有することを特徴とする。
【００１２】
また、上記本発明の一態様に係る台紙付きシュリンクフィルム包装体において、シュリンクされた前記シュリンクフィルムに前記被包装物が包装されて前記開口部に挿入され、前記台紙本体に保持されていることを特徴とする。
【発明の効果】
【００１３】
本発明では、シュリンクに支障を来すことなく高級感を付与できる台紙付きシュリンクフィルム包装体を提供できる。
【図面の簡単な説明】
【００１４】
【図１】第１実施形態に係る台紙付きシュリンクフィルム包装体１の外観斜視図である。
【図２】被包装物Ｓが保持された台紙付きシュリンクフィルム包装体１の外観斜視図である。
【図３】ブランク状態の台紙２０を示す平面図である。
【図４】底面板３３および背面板３４が背面側に折り返された台紙２０を示す平面図である。
【図５】底面板３３および背面板３４が背面側に折り返された台紙２０を示す背面図である。
【図６】台座部３０を拡大した部分的な斜視図である。
【図７】図６におけるＡ−Ａ線視断面図である。
【図８】第１実施形態に係る台紙付きシュリンクフィルム包装体１の右側面図である。
【図９】第２実施形態に係る台紙付きシュリンクフィルム包装体１の右側面図である。
【図１０】第２実施形態に係る台座部３０の前後方向の略中心部における断面図である。
【発明を実施するための形態】
【００１５】
以下、本発明の台紙付きシュリンクフィルム包装体の実施の形態を、図１ないし図１０を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１６】
［第１実施形態］
図１は、前面にシュリンクフィルムＦが配置された第１実施形態に係る台紙付きシュリンクフィルム包装体１の外観斜視図である。図２は、図示を省略したシュリンクフィルムＦで被包装物Ｓが保持された台紙付きシュリンクフィルム包装体１の外観斜視図である。
【００１７】
台紙付きシュリンクフィルム包装体１は、上下方向に延びる台紙本体１０と、台紙本体１０の下側に配置された台座部３０と、台紙本体１０の前面に接着されたシュリンクフィルムＦとを有している。
【００１８】
なお、以下では、台紙本体１０と台座部３０とが並ぶ方向を上下方向とし、台紙本体１０の幅方向を水平方向（横方向）とし、台紙本体１０にシュリンクフィルムＦが接着される面を前面とし、台紙本体１０の前面と逆側の面を背面として、各部材の形状や位置関係を説明する。ただし、これは、あくまで説明の便宜のために各方向を定義したものであって、本発明の台紙付きシュリンクフィルム包装体の設置姿勢を限定するものではない。
【００１９】
台座部３０は、台紙本体１０の下側に延設された折り曲げ部４０を折り曲げることにより、水平方向に延びる四角筒状に形成されている。台座部３０は、上方に開口する開口部３１ａを有する上面板３１と、前面板３２と、底面板３３と背面板３４とによって形成されている。
【００２０】
図３は、台紙本体１０および折り曲げ部４０を有し、折り曲げ部４０が折り曲げられる前のブランク状態の台紙２０を示す平面図である。
台紙２０は、台紙本体１０と折り曲げ部４０とが横方向に横断する第１折り曲げ線４１によって区画されている。折り曲げ部４０は、第１折り曲げ線４１を介して台紙本体１０の下側に同一幅で延設されている。台紙２０を構成する材料は特には限定されないが、例えば各種の樹脂製シートや紙材をシート基材とするシートを用いることができる。シート基材が紙材である場合、例えば、紙のみからなる厚紙や、紙製シートに各種樹脂をコーティング又は樹脂製シートや蒸着シートを張り合わせた合成紙等が一例として挙げられ、その厚さは、例えば０．２〜２ｍｍ程度、特に０．５〜１．５ｍｍ程度が好ましい。
【００２１】
台紙本体１０は、横方向の中央にシュリンクフィルムＦが接着される接着領域１１を有している。また、台紙本体１０の上側の側縁近傍には、横方向の中央に吊り下げ孔１２が形成されており、店頭等において吊り下げて陳列可能になっている。
【００２２】
折り曲げ部４０は、第１折り曲げ線４１を介して下側に延設され横方向中央に開口部３１ａが形成された上面板３１と、上面板３１の下側に第２折り曲げ線４２を介して延設された前面板３２と、前面板３２の下側に第３折り曲げ線４３を介して延設された底面板３３と、底面板３３の下側に第４折り曲げ線４４を介して延設された背面板３４とを含む。前面板３２の上側の側縁における横方向の中央には、開口部３１ａに張り出す張出部３２ａが形成されている。
【００２３】
第１折り曲げ線４１、第２折り曲げ線４２、第３折り曲げ線４３および第４折り曲げ線４４は、互いに平行に形成されている。第１折り曲げ線４１、第２折り曲げ線４２、第３折り曲げ線４３および第４折り曲げ線４４としては、押し罫線やミシン目等、各種の折り曲げ罫線が使用できる。
【００２４】
上面板３１と底面板３３との高さ（上下方向の長さ；以下、単に高さと称する）は、略同一である。背面板３４は、下側の側縁が台紙本体１０の背面に重ね合わされた状態で、台紙本体１０から開口部３１ａに張り出す張出部１３に接着される。背面板３４は、台紙本体１０の背面と重ね合わされるため、重ね合わされる長さ分、前面板３２の高さよりも大きな高さに形成されている。
【００２５】
底面板３３には、横方向の両側の側縁から前面板３２の高さよりも短い距離、具体的には、一例として前面板３２の高さの１/４乃至３/４の長さで離れた位置にそれぞれ立設折り曲げ線４５が形成されている。また、第３折り曲げ線４３は、側縁から立設折り曲げ線４５に至る箇所が切り離し線４６によって切り離されている。さらに、底面板３３には、横方向の両側の側縁から所定幅の係止片３３ａが背面板３４にそれぞれ張り出している。第４折り曲げ線４４は、側縁から係止片３３ａの縁部および立設折り曲げ線４５に至る箇所が切り離し線４７によって切り離されている。立設折り曲げ線４５および切り離し線４６、４７によって区画された部分は、係止片３３ａを含み、後述するように、立設折り曲げ線４５で上方に折り曲げられたときに水平方向の一端側および他端側において台座部３０の内部空間の一部を閉塞する側壁部４８を構成する。
【００２６】
背面板３４には、上側の側縁から底面板３３に所定長さで張り出す足部３４ａが横方向の中央部に設けられている。足部３４ａは、張り出した縁部が切り離し線４９によって底面板３３と切り離されている。また、背面板３４には、立設折り曲げ線４５の延長線上に位置して、係止口３４ｂが貫通して形成されている。係止口３４ｂと第４折り曲げ線４４との距離は、立設折り曲げ線４５と係止片３３ａとの距離に設定されている。また、係止口３４ｂは、係止片３３ａが挿入可能なように、係止片３３ａにおける横方向の長さおよび高さよりも大きく形成されている。
【００２７】
シュリンクフィルムＦは、一例として、上下方向に延びる筒状に形成されており、台紙本体１０の接着領域１１に上下方向の中央部が接着剤により固定されている。すなわち、シュリンクフィルムＦは、長さ方向の両側は接着されない状態である。接着されたシュリンクフィルムＦの下側の端部は、台座部３０の内部空間に位置する。
【００２８】
シュリンクフィルムＦは、前後方向に潰れた扁平状であって、横方向の両側縁が折れ線となって扁平状に折り畳まれた状態にある。前後方向に潰れた扁平状のシュリンクフィルムＦのうち、前面側のシュリンクフィルムＦには、両側縁の近傍に上下方向にミシン目が形成されていてもよい。ミシン目に沿ってシュリンクフィルムＦの一部を帯状に切離除去して開封することにより、シュリンクフィルムＦに包装された被包装物Ｓを容易に取り出すことが可能になる。
【００２９】
接着剤としては、各種の接着剤を使用することができ、例えば、エラストマー系接着剤、熱可塑性樹脂系接着剤、およびホットメルト接着剤等が挙げられる。特に加熱塗工でき、常温で粘着性を有するホットメルト接着剤が好適である。特に、台紙１のシート基材が紙材の場合には、紙への接着性の観点から湿気反応型ホットメルト接着剤が好適である。但し、接着剤ではなく両面テープ等で接着してもよい。
【００３０】
シュリンクフィルムＦとしては、種々のフィルムを使用でき、例えばポリエチレン（ＰＥ）やポリプロピレン（ＰＰ）等のポリオレフィン系、ポリエチレンテレフタレート（ＰＥＴ）やポリブチレンテレフタレート（ＰＢＴ）、ポリ乳酸（ＰＬＡ）等のポリエステル系、ポリスチレン系（ＰＳ）、並びにポリアミド、およびポリ塩化ビニル等の樹脂からなるフィルムが使用できる。これらの中でも適切な収縮応力と高い透明性を有することからポリエステル系（ポリエチレンテレフタレート系、ポリ乳酸系）、ポリスチレン系のフィルムが好ましく、特にポリエステル系フィルムが好ましい。また、これらの樹脂を二種以上混合した樹脂混合物を含むフィルムを用いることもでき、二種以上のフィルムを積層した積層フィルムを用いることもできる。また、主として筒状に形成されたフィルムの周方向に収縮する一軸延伸フィルムを使用できるが、筒状に形成されたフィルムの軸線方向にも収縮する二軸延伸フィルムであってもよい。
【００３１】
上記構成の台紙２０を用いて台紙付きシュリンクフィルム包装体１を組み立てる際には、まず、第３折り曲げ線４３を山折りとして、図４に示すように、第３折り曲げ線４３より下側の底面板３３および背面板３４を背面側に折り返す。折り返された底面板３３および背面板３４のうち、背面板３４の下側の側縁を台紙本体１０の背面に重ね合わせた状態で接着剤等を用いて張出部１３と背面板３４とを接着固定する。図４は、第３折り曲げ線４３より下側の底面板３３および背面板３４が背面側に折り返された台紙２０を示す平面図である。図５は、第３折り曲げ線４３より下側の底面板３３および背面板３４が背面側に折り返された台紙２０を示す背面図である。
【００３２】
また、図４に示されるように、台紙本体１０の前面側にシュリンクフィルムＦを接着する。なお、台紙本体１０へのシュリンクフィルムＦの接着は、第３折り曲げ線４３より下側の底面板３３および背面板３４を背面側に折り返した後に限定されず、底面板３３および背面板３４を背面側に折り返す前に接着してもよい。
【００３３】
図６は、台座部３０を拡大した部分的な斜視図である。
底面板３３および背面板３４を背面側に折り返し接着した後には、第１折り曲げ線４１を谷折りし、第２折り曲げ線４２を山折りし、第４折り曲げ線４４を前面側から視て谷折りすることにより、図１、図２および図６に示すように、折り曲げ部４０においては、内部空間３５を有し横方向に（水平方向）に延びる四角筒状の台座部３０が形成される。
【００３４】
図７は、図６におけるＡ−Ａ線視断面図である。
台座部３０が形成されると、図７に示されるように、立設折り曲げ線４５で側壁部４８を上方に折り曲げる。これにより、側壁部４８は、前面板３２と対向する縁部が当該前面板３２に係合し、背面板３４と対向する縁部が当該背面板３４に係合する。側壁部４８が前面板３２および背面板３４に係合することにより、台座部３０の角筒形状が維持される。また、側壁部４８を上方に折り曲げた際には、図６に示されるように、係止片３３ａを係止口３４ｂに挿入して係止させる。これにより、側壁部４８は、立設折り曲げ線４５を中心とした折り曲げ方向の位置が維持される。従って、台座部３０の内部空間３５が水平方向の一端側および他端側において下側の部分が閉塞された状態で、台座部３０の断面形状が平行四辺形状ではなくロ字状（長方形状）に維持される。
【００３５】
また、側壁部４８の高さは、前面板３２の高さの１/４乃至３/４の長さであり前面板３２の高さよりも低いため、側壁部４８の上側の側縁と上面板３１との間には、図８に示すように、前面板３２の高さの１/４乃至３/４の高さで、上面板３１および底面板３３と略同一幅の所定開口面積に規定された孔部が形成される。この孔部は、内部空間３５への後述するシュリンク用の熱風の流通を可能とする流通孔５０を形成する。
【００３６】
台座部３０が形成されると、図２および図８の右側面図に示すように、シュリンクフィルムＦ内に被包装物Ｓを挿入するとともに、シュリンクフィルムＦおよび被包装物Ｓの下端部を、開口部３１を介して内部空間３５に挿入し台座部３０に被包装物Ｓを支持させる。
【００３７】
被包装物Ｓの形状は 、例えば、略円柱状、略円錐状、略多角柱状、又は略多角錐状であってもよい 。具体的には、チューブ容器が挙げられる。
【００３８】
台座部３０に被包装物Ｓが支持されると、シュリンクフィルムＦに対して、樹脂材に応じた温度の熱風を吹き付けることでシュリンクフィルムＦをシュリンクさせ、被包装物Ｓを包装する。ここで、シュリンクフィルムＦおよび被包装物Ｓの下端部は、台座部３０の内部空間３５に挿入されているため、台座部３０から突出している部分と比較して露出面積は小さいが、水平方向両側に配置された流通孔５０を介して熱風を内部空間３５に流通させてシュリンクフィルムＦに吹き付けてシュリンクさせることができる。
このように、被包装物ＳがシュリンクフィルムＦを介して保持された台紙付きシュリンクフィルム包装体１を組み立てることができる。
【００３９】
以上説明したように、本実施形態の台紙付きシュリンクフィルム包装体１では、被包装物Ｓを支持する台座部３０を設けた場合でも、流通孔５０を介して内部空間３５に熱風を流通させることができるため、シュリンクフィルムＦによるシュリンクに支障を来すことなく高級感を付与できる。また、本実施形態の台紙付きシュリンクフィルム包装体１では、側壁部４８を形成するための立設折り曲げ線４５について側縁からの距離を前面板３２の高さよりも短くするという簡単な構成で容易に流通孔５０を形成することが可能である。加えて、本実施形態の台紙付きシュリンクフィルム包装体１では、側壁部４８に設けた係止片３３ａを、背面板３４に設けた係止口３４ｂに挿入して係止させているため、側壁部４８の位置および姿勢を保持して、台座部３０の形状を容易に維持することが可能になる。
【００４０】
［第２実施形態］
続いて、第２実施形態に係る台紙付きシュリンクフィルム包装体１について、図９および図１０を参照して説明する。これらの図において、図１乃至図８に示す第１実施形態の構成要素と同一の要素については同一符号を付し、その説明を省略する。
第２実施形態と上記の第１実施形態とが異なる点は、流通孔５０の構成であるため、以下ではこの点について説明する。
【００４１】
図９は、台紙付きシュリンクフィルム包装体１の右側面図である。図１０は、台座部３０の前後方向の略中心部における断面図である。
図９および図１０に示されるように、本実施形態の底面板３３における両側の側縁から立設折り曲げ線４５までの距離は、前面板３２の高さと略同一である。また、本実施形態における側壁部４８は、上方に折り曲げられたときに互いに対向する位置に貫通孔が流通孔５０として形成されている。
【００４２】
本実施形態においても、側壁部４８を貫通する流通孔５０を介して熱風を内部空間３５に流通させてシュリンクフィルムＦに吹き付けてシュリンクさせることができ、上記第１実施形態の台紙付きシュリンクフィルム包装体１と同様の作用・効果が得られることに加えて、立設折り曲げ線４５の位置等の制約を受けることなく、側壁部４８における任意の位置および大きさで流通孔５０を形成することが可能になる。ここでは、流通孔５０の大きさは、側壁部４８の１／４乃至３／４の開口面積に規定されていることが好ましい。
【００４３】
流通孔５０の位置に特に制限はないが、熱風を円滑に内部空間３５に流通させるためには互いに対向する位置に配置することが好ましい。また、互いに対向する位置ではなく、例えば、一方の側壁部４８については上下方向の中心より上側に流通孔５０を設け、他方の側壁部４８については上下方向の中心より下側に流通孔５０を設ける構成としてもよい。流通孔５０を互いに対向する位置に配置した場合には、流通孔５０間を熱風が円滑に流通できる反面、内部空間３５において流通孔５０同士が対向する領域から外れた位置には熱風が流通しづらい領域が生じてシュリンクに分布が生じる可能性があるが、流通孔５０の位置を非対向とすることで一方の流通孔５０から内部空間３５に流入した熱風が迂回した後に他方の流通孔から流出することでシュリンクに分布が生じることを抑制できる。
【００４４】
さらに、流通孔５０の数は一つに限られず、例えば、格子状あるいは千鳥状に複数の流通孔５０を全面的に配列させる構成としてもよい。この構成を採ることにより、偏りなく熱風を内部空間３５に流通させることが可能になるとともに、化粧処理が施されていない内部空間３５を外側から見えにくくすることができ、外観性の向上にも寄与できる。
【００４５】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４６】
例えば、上記第２実施形態では、側壁部４８に設けた流通孔５０が貫通孔である構成を例示したが、この構成に限定されるものではなく、側壁部４８に設けた切欠きにより流通孔５０を形成する構成であってもよい。
【００４７】
また、上記実施形態では、台座部３０が四角筒状である構成を例示したが、他の角数の角筒状であってもよい。
【符号の説明】
【００４８】
１…台紙付きシュリンクフィルム包装体、  １０…台紙本体、  ３０…台座部、  ３１…上面板、  ３１ａ…開口部、  ３２…前面板、  ３３…底面板、  ３４…背面板、  ３４ｂ…係止口、  ３５…内部空間、  ４０…折り曲げ部、  ４１…第１折り曲げ線、  ４２…第２折り曲げ線、  ４３…第３折り曲げ線、  ４４…第４折り曲げ線、  ４５…立設折り曲げ線、  ４８…側壁部、  ５０…流通孔、  Ｆ…シュリンクフィルム、  Ｓ…被包装物
【図１】
2018070257.tif 000003
【図２】
2018070257.tif 000004
【図３】
2018070257.tif 000005
【図４】
2018070257.tif 000006
【図５】
2018070257.tif 000007
【図６】
2018070257.tif 000008
【図７】
2018070257.tif 000009
【図８】
2018070257.tif 000010
【図９】
2018070257.tif 000011
【図１０】
2018070257.tif 000012